(57)【要約】【課題】  作業が完了していないにも拘わらずユーザーが強制ログアウトされてしまう可能性を低くする。【解決手段】  ログイン状態管理部３２は、ログインユーザーの無操作時間が警告閾値を超えると、延長キー１０１を表示装置１１ａに表示させ、延長キー１０１の表示後、無操作時間がログアウト閾値を超えると強制ログアウト処理を実行し、延長キー１０１に対するユーザー操作が入力装置１１ｂにより検出された場合、無操作時間をリセットせずに、ログアウト閾値を増加させる。ログアウト閾値の増加後、無操作時間がログアウト閾値を超える前に、ログアウト操作が検出された場合、ログイン状態管理部３２は、ただちにログアウト処理を実行し、ログアウト操作が検出された時点のユーザー作業の状態情報を保存し、当該ユーザーの次回ログイン時に、保存した状態情報を適用する。【選択図】  図１
2018086828.tif 000002
【特許請求の範囲】
【請求項１】
ユーザーに対して操作画面を表示する表示装置と、
前記操作画面に対する前記ユーザーのユーザー操作を検出する入力装置と、
前記ユーザー操作に従って内部装置を制御する制御部と、
（ａ）前記ユーザー操作に従って前記ユーザーのログイン処理およびログアウト処理を実行するとともに、（ｂ）前記入力装置により前記ユーザー操作が検出されない無操作時間を測定し、前記入力装置により前記ユーザー操作が検出された場合には前記無操作時間をリセットし、前記無操作時間に基づいて強制ログアウト処理を実行するログイン状態管理部とを備え、
前記ログイン状態管理部は、（ａ）前記無操作時間が警告閾値を超えると、延長キーを前記表示装置に表示させ、前記延長キーの表示後、前記無操作時間がログアウト閾値を超えると、前記強制ログアウト処理を実行し、（ｂ）前記延長キーに対するユーザー操作が前記入力装置により検出された場合、前記無操作時間をリセットせずに、前記ログアウト閾値を増加させ、
前記ログイン状態管理部は、前記延長キーに対するユーザー操作が検出され、前記ログアウト閾値を増加させた場合において、前記無操作時間が前記ログアウト閾値を超える前に、前記ログアウト処理のためのユーザー操作が前記入力装置により検出されたときには、（ａ）ただちに前記ログアウト処理を実行し、（ｂ）前記ログアウト処理のためのユーザー操作が前記入力装置により検出された時点のユーザー作業の状態情報を所定の記憶装置に保存し、（ｃ）当該ユーザーの次回ログイン時に、前記状態情報が保存されている場合には、保存した前記状態情報を適用すること、
を特徴とする電子機器。
【請求項２】
前記ログイン状態管理部は、（ｂ）前記ログアウト処理のためのユーザー操作が前記入力装置により検出されたときには、前記状態情報とともに、前記ログアウト処理のためのユーザー操作が前記入力装置により検出された時点から前記ログアウト閾値までの残り時間を、当該ユーザーの次回ログイン時の前記ログアウト閾値として保存し、（ｃ）当該ユーザーの次回ログイン時に、前記ログアウト閾値および前記状態情報が保存されている場合には、保存した前記ログアウト閾値を適用し、保存した前記状態情報を適用することを特徴とする請求項１記載の電子機器。
【請求項３】
前記ログイン状態管理部は、前記延長キーに対するユーザー操作の回数に比例した時間だけ前記ログアウト閾値を増加させることを特徴とする請求項１または請求項２記載の電子機器。
【請求項４】
前記ログイン状態管理部は、前記ログアウト閾値を増加させたときに、延長短縮キーを前記表示装置に表示させ、前記延長短縮キーに対するユーザー操作が前記入力装置により検出された場合、前記ログアウト閾値を減少させることを特徴とする請求項１から請求項３のうちのいずれか１項記載の電子機器。
【請求項５】
前記ログイン状態管理部は、前記延長キーの隣りに延長短縮キーを表示させることを特徴とする請求項４記載の電子機器。
【請求項６】
前記ログイン状態管理部は、前記延長短縮キーに対するユーザー操作の回数に比例した時間だけ前記ログアウト閾値を減少させることを特徴とする請求項４または請求項５記載の電子機器。
【発明の詳細な説明】
【技術分野】
【０００１】
本発明は、電子機器に関するものである。
【背景技術】
【０００２】
ある画像形成装置は、ユーザーのログイン後、ユーザー操作が検出されない無操作時間が所定時間以上になった場合に、自動的に、強制ログアウト処理を行う（例えば、特許文献１参照）。ただし、この画像形成装置は、動画再生中には無操作時間の計測を停止することで、動画再生中である場合には強制ログアウト処理を実行しないようにしている。
【先行技術文献】
【特許文献】
【０００３】
【特許文献１】特開２０１５−７０５８４号公報
【発明の概要】
【発明が解決しようとする課題】
【０００４】
しかしながら、上述の画像形成装置では、ユーザーが動画を見ている最中に操作しなくても強制ログアウトされることはないが、複雑な設定作業などといった、ユーザーが操作せずに比較的長時間の熟考を要求される作業を行っている際には、作業が完了していないにも拘わらず強制ログアウトされてしまう可能性がある。
【０００５】
本発明は、上記の問題に鑑みてなされたものであり、作業が完了していないにも拘わらずユーザーが強制ログアウトされてしまう可能性を低くする電子機器を得ることを目的とする。
【課題を解決するための手段】
【０００６】
本発明に係る電子機器は、ユーザーに対して操作画面を表示する表示装置と、前記操作画面に対する前記ユーザーのユーザー操作を検出する入力装置と、前記ユーザー操作に従って内部装置を制御する制御部と、（ａ）前記ユーザー操作に従って前記ユーザーのログイン処理およびログアウト処理を実行するとともに、（ｂ）前記入力装置により前記ユーザー操作が検出されない無操作時間を測定し、前記入力装置により前記ユーザー操作が検出された場合には前記無操作時間をリセットし、前記無操作時間に基づいて強制ログアウト処理を実行するログイン状態管理部とを備える。前記ログイン状態管理部は、（ａ）前記無操作時間が警告閾値を超えると、延長キーを前記表示装置に表示させ、前記延長キーの表示後、前記無操作時間がログアウト閾値を超えると、前記強制ログアウト処理を実行し、（ｂ）前記延長キーに対するユーザー操作が前記入力装置により検出された場合、前記無操作時間をリセットせずに、前記ログアウト閾値を増加させる。そして、前記ログイン状態管理部は、前記延長キーに対するユーザー操作が検出され、前記ログアウト閾値を増加させた場合において、前記無操作時間が前記ログアウト閾値を超える前に、前記ログアウト処理のためのユーザー操作が前記入力装置により検出されたときには、（ａ）ただちに前記ログアウト処理を実行し、（ｂ）前記ログアウト処理のためのユーザー操作が前記入力装置により検出された時点のユーザー作業の状態情報を所定の記憶装置に保存し、（ｃ）当該ユーザーの次回ログイン時に、前記状態情報が保存されている場合には、保存した前記状態情報を適用する。
【発明の効果】
【０００７】
本発明によれば、作業が完了していないにも拘わらずユーザーが強制ログアウトされてしまう可能性を低くする電子機器が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像形成装置の構成を示すブロック図である。
【図２】図２は、図１における操作パネル１１を示す正面図である。
【図３】図３は、図１および図２における表示装置１１ａに表示される警告画面の一例を示す図である。
【図４】図４は、図１に示す画像形成装置の動作について説明するフローチャートである。
【図５】図５は、実施の形態２において表示装置１１ａに表示される警告画面の一例を示す図である。
【発明を実施するための形態】
【００１０】
以下、図に基づいて本発明の実施の形態を説明する。
【００１１】
実施の形態１．
【００１２】
図１は、本発明の実施の形態に係る画像形成装置の構成を示すブロック図である。なお、ここでは、本発明の電子機器の実施の形態の一例として、画像形成装置を挙げているが、他の種別の電子機器も同様に実施可能である。
【００１３】
図１に示す画像形成装置は、印刷機能、画像読取機能、およびファクシミリ機能を有する複合機であり、操作パネル１１、通信装置２１、印刷装置２２、画像読取装置２３、ファクシミリ装置２４、記憶装置２５、およびコントローラー２６を備える。
【００１４】
操作パネル１１は、液晶ディスプレイなどの表示装置１１ａ、およびタッチパネルなどの入力装置１１ｂを備える内部装置である。
【００１５】
表示装置１１ａは、ユーザーに対する操作画面を表示する。入力装置１１ｂは、その操作画面に対するユーザーのユーザー操作を検出する。
【００１６】
図２は、図１における操作パネル１１を示す正面図である。図２に示す操作パネル１１は、入力装置１１ｂとして、ハードキー５１〜５５およびタッチパネル５６を有する。ハードキー５１は、電源キーであり、ハードキー５２は、スタートキーであり、ハードキー５３は、ストップ／クリアキーであり、ハードキー５４は、テンキーであり、ハードキー５５は、ログアウトキーを示す。タッチパネル５６は、表示装置１１ａ上（つまり表示面上）に配置されている。
【００１７】
例えば、表示装置１１ａに表示される操作画面は、メッセージやソフトキーを含み、そのソフトキーに対するユーザー操作が、タッチパネル５６によって検出される。
【００１８】
図１に戻り、通信装置２１は、ネットワークなどを介して図示せぬホスト装置に接続可能であって、所定の通信プロトコルでデータ通信を行う内部装置である。
【００１９】
また、印刷装置２２は、例えば電子写真方式で原稿画像を印刷用紙に印刷する内部装置である。
【００２０】
また、画像読取装置２３は、原稿から原稿画像を光学的に読み取り、原稿画像の画像データを生成する内部装置である。画像読取装置２３は、自動原稿送り器およびプラテンガラスの少なくとも一方を備え、自動原稿送り器またはプラテンガラスに載置された原稿から原稿画像を読み取る。
【００２１】
また、ファクシミリ装置２４は、ファクシミリ信号を受信しそのファクシミリ信号を画像データに変換する受信機能と、画像データをファクシミリ信号に変換しそのファクシミリ信号を送信する送信機能とを有する内部装置である。
【００２２】
また、記憶装置２５は、ハードディスクドライブ、フラッシュメモリーなどの不揮発性の記憶装置であって、データ、プログラムなどを記憶する。
【００２３】
また、コントローラー２６は、図示せぬＣＰＵ（Central Processing Unit）、ＲＯＭ（Read Only Memory）、ＲＡＭ（Random Access Memory）などを有するコンピューターを有し、ＲＯＭまたは記憶装置２５に記憶されているプログラムをＲＡＭへロードし、そのプログラムをＣＰＵで実行することにより、各種処理部として動作する。
【００２４】
この実施の形態では、コントローラー２６は、制御部３１、およびログイン状態管理部３２として動作する。
【００２５】
制御部３１は、ユーザー操作などに従って、上述の内部装置を制御して、プリントジョブ、コピージョブなどの各種ジョブを実行するとともに、操作パネル１１でユーザーインターフェイス処理を行う。具体的には、制御部３１は、操作パネル１１の表示装置１１ａに操作画面を表示させるとともに、操作画面に対するユーザー操作を操作パネル１１の入力装置１１ｂで検出し、検出したユーザー操作に応じて、表示装置１１ａに表示される操作画面を遷移させたり、ログイン状態管理部３２、上述の内部装置などを動作させたりする。
【００２６】
ログイン状態管理部３２は、（ａ）入力装置１１ｂに対するユーザー操作に従ってユーザーのログイン処理およびログアウト処理を実行するとともに、（ｂ）入力装置１１ｂによりユーザー操作が検出されない無操作時間を測定し、入力装置１１ｂによりユーザー操作が検出された場合には無操作時間をリセットし、無操作時間に基づいて強制ログアウト処理を実行する。
【００２７】
ここで、ログイン処理は、ログインしたユーザーをログイン状態とし、ログイン状態において、ログイン状態のユーザー（以下、ログインユーザーという）（具体的にはユーザーＩＤ）に付与されているユーザー権限に基づいて当該画像形成装置の操作を許可したり、ログインユーザーの操作または設定に基づいて実行されるジョブと、そのログインユーザー（具体的にはユーザーＩＤ）との関連付けを行ったりする。なお、ログイン処理は、必要に応じて、ユーザー認証を実行し、ユーザー認証に成功した場合には、そのユーザーをログイン状態とするが、ユーザー認証に失敗した場合には、そのユーザーをログイン状態としない。
【００２８】
また、ログアウト処理は、ログインユーザーのログイン状態を破棄するとともに、当該画像形成装置を待機状態にリセットする。例えば、待機状態ではログイン画面が表示され、ユーザーによるユーザーＩＤの入力が検出されるまで待機する。
【００２９】
なお、以下、単に、「ログアウト処理」とは、ユーザー操作に基づく（つまり、手動の）ログアウト処理のことを指し、「強制ログアウト処理」とは、所定条件が成立した際に自動的に実行されるログアウト処理のことを指す。
【００３０】
図３は、図１および図２における表示装置１１ａに表示される警告画面の一例を示す図である。
【００３１】
特に、ログイン状態管理部３２は、（ａ）無操作時間が警告閾値Ｔ１を超えると、例えば図３に示すように、延長キー１０１および警告メッセージ１０２を表示装置１１ａに表示させ、延長キー１０１の表示後、無操作時間がログアウト閾値Ｔ２（Ｔ２＞Ｔ１）を超えると、強制ログアウト処理を実行し、（ｂ）延長キー１０１に対するユーザー操作が入力装置１１ａにより検出された場合、無操作時間をリセットせずに、ログアウト閾値Ｔ２を増加させる。つまり、延長キー１０１に対するユーザー操作が検出された場合でも、無操作時間が、増加後のログアウト閾値Ｔ２に到達した時点で、強制ログアウト処理が実行される。
【００３２】
さらに、ログイン状態管理部３２は、延長キー１０１に対するユーザー操作が検出され、ログアウト閾値を増加させた場合において、無操作時間がログアウト閾値Ｔ２を超える前に、ログアウト処理のためのユーザー操作（例えば上述のログアウトキー５５の押下）が入力装置１１ｂにより検出されたときには、（ａ）ただちにログアウト処理を実行し、（ｂ）ログアウト処理のためのユーザー操作が入力装置１１ｂにより検出された時点のユーザー作業の状態情報（例えば、現時点の操作画面の識別情報、設定途中である場合には、現時点までに入力した設定値の履歴など）を当該ユーザーに関連付けて所定の記憶装置２５に保存し、（ｃ）当該ユーザーの次回ログイン時に、状態情報が保存されている場合には、保存した状態情報を適用することで、強制ログアウト処理時点でのユーザー作業の環境（状態）を復旧し、強制ログアウト処理で中断したユーザー作業を再開可能とする。
【００３３】
また、この実施の形態では、ログイン状態管理部３２は、（ｂ）ログアウト処理のためのユーザー操作が入力装置１１ｂにより検出されたときには、状態情報とともに、ログアウト処理のためのユーザー操作が入力装置１１ｂにより検出された時点からログアウト閾値Ｔ２までの残り時間を、当該ユーザーの次回ログイン時のログアウト閾値Ｔ２として、当該ユーザーに関連付けて保存し、（ｃ）当該ユーザーの次回ログイン時に、ログアウト閾値Ｔ２および上述の状態情報が保存されている場合には、保存したログアウト閾値Ｔ２を適用し、保存した状態情報を適用する。
【００３４】
さらに、この実施の形態では、ログイン状態管理部３２は、延長キー１０１に対するユーザー操作の回数に比例した時間だけログアウト閾値Ｔ２を増加させる。
【００３５】
例えば、ログアウト閾値Ｔ２、ログアウト閾値Ｔ２と警告閾値Ｔ１との差分ｄＴ（あるいは警告閾値Ｔ１そのもの）、その差分の上限値ｄＴｍａｘなどが設定データとして記憶装置２５などに予め記憶されており、ログイン状態管理部３２は、その設定データを読み出して、上述の処理を実行する。
【００３６】
例えば、上述の差分の上限値ｄＴｍａｘが１２０秒に設定されている場合、差分ｄＴが１０秒単位で０秒から１２０秒までのいずれかの値に設定される。また、差分ｄＴが０秒に設定されている場合には、上述の延長キー１０１および警告メッセージ１０２は表示されない。
【００３７】
なお、設定データには、例えば、延長キー１０１による延長時間（ログアウト閾値Ｔ２の増加幅）の上限値ＥＴｍａｘ、延長キー１０１に対する１回のユーザー操作に対応する延長時間（以下、増加単位時間という）ＥＴなども含まれている。
【００３８】
例えば、上限値ＥＴｍａｘが５００秒と設定され、増加単位時間ＥＴが３０秒と設定されている場合、延長キー１０１が１回押下されると、延長時間が３０秒とされ、延長キー１０１が５回押下されると、延長時間が１５０秒とされる。
【００３９】
例えば、上限値ＥＴｍａｘが５００秒と設定され、増加単位時間ＥＴが１００秒と設定されている場合、延長キー１０１が１回押下されると、延長時間が１００秒とされ、延長キー１０１が５回以上押下されると、延長時間が５００秒とされる。なお、延長キー１０１が押下された際に、延長時間が上限値ＥＴｍａｘ以上になる場合には、延長時間が上限値ＥＴｍａｘとされ、それ以後の延長キー１０１の押下は無視される。
【００４０】
次に、当該実施の形態に係る画像形成装置の動作について説明する。図４は、図１に示す画像形成装置の動作について説明するフローチャートである。
【００４１】
ログイン状態管理部３２は、ログイン画面に対するユーザーＩＤなど（例えばユーザーＩＤ、あるいはユーザーＩＤおよびパスワードの対）の入力が検出されると、ログイン処理を実行する（ステップＳ１）。
【００４２】
ログイン処理後、ログイン状態管理部３２は、ログインユーザーの設定データを読み出し、警告閾値Ｔ１およびログアウト閾値Ｔ２をセットし、無操作時間を計時するタイマーをスタートさせる（ステップＳ２）。なお、上述の差分ｄＴが設定データに含まれている場合には、ログアウト閾値Ｔ２から差分ｄＴを減算して、警告閾値Ｔ１が導出される。
【００４３】
その後、ログイン状態管理部３２は、ユーザー操作（ログアウトキー５５の押下を除く）が検出されたか否か（ステップＳ３）、ログアウトキー５５の押下が検出されたか否か（ステップＳ４）、およびタイマーの値が警告閾値Ｔ１を超えているか否か（ステップＳ５）を監視する。
【００４４】
ユーザー操作が検出された場合には（ステップＳ３）、ログイン状態管理部３２は、タイマーをゼロにリセットし（ステップＳ６）、引き続き、上記監視を継続する。
【００４５】
ログアウトキー５５の押下が検出された場合には（ステップＳ４）、ログイン状態管理部３２は、ログアウト処理を実行し（ステップＳ７）、当該ログインユーザーに対する処理を終了する。
【００４６】
タイマーの値が警告閾値Ｔ１を超えている場合（ステップＳ５）、ログイン状態管理部３２は、上述の延長キー１０１などを表示装置１１ａに表示する（ステップＳ８）。
【００４７】
そして、延長キー１０１が表示されている状態で、ログイン状態管理部３２は、ログアウトキー５５の押下が検出されたか否か（ステップＳ９）、タイマーの値がログアウト閾値Ｔ２を超えているか否か（ステップＳ１０）、および延長キー１０１の押下が検出されたか否か（ステップＳ１１）を監視する。
【００４８】
延長キー１０１の押下が検出された場合（ステップＳ１１）、ログイン状態管理部３２は、その延長キー１０１の押下回数に応じた延長時間だけログアウト閾値Ｔ２を増加する（ステップＳ１２）。
【００４９】
タイマーの値がログアウト閾値Ｔ２を超えている場合（ステップＳ１０）、ログイン状態管理部３２は、強制ログアウト処理を実行し（ステップＳ１３）、当該ログインユーザーに対する処理を終了する。
【００５０】
ログアウトキー５５の押下が検出された場合には（ステップＳ９）、ログイン状態管理部３２は、ログアウト処理を実行する（ステップＳ１４）。その際、併せて、ログイン状態管理部３２は、延長キー１０１の押下が検出された後（つまり、強制ログアウトが延期された後）にログアウトキー５５の押下が検出されたか否かを判定する（ステップＳ１５）。
【００５１】
延長キー１０１の押下が検出された後にログアウトキー５５の押下が検出された場合、ログイン状態管理部３２は、現時点のユーザー作業の状態情報を記憶装置２５などに保存し（ステップＳ１６）、当該ログインユーザーの次回ログイン時のログアウト閾値Ｔ２を上述のようにして特定し記憶装置２５などに保存する（ステップＳ１７）。
【００５２】
一方、ログイン状態管理部３２は、延長キー１０１の押下が検出されずにログアウトキー５５の押下が検出された場合、ステップＳ１６，Ｓ１７を実行せずに当該ログインユーザーに対する処理を終了する。
【００５３】
なお、ステップＳ１６，Ｓ１７において、状態情報および次回ログイン時のログアウト閾値Ｔ２が保存された場合、当該ログインユーザーが次回ログインした際に、ログイン状態管理部３２は、ログイン処理（ステップＳ１）において、その状態情報を適用してログイン後の初期状態をセットし、ログイン状態管理部３２は、ステップＳ２において、そのログアウト閾値Ｔ２を適用する。
【００５４】
これにより、延長キー１０１の押下後に手動でログアウトしたユーザーがただちに（例えばログアウト後、所定時間経過内に）再度ログインした場合には、ユーザーが、手動でログアウトした時点の作業を再開できる。
【００５５】
以上のように、上記実施の形態によれば、ログイン状態管理部３２は、（ａ）ユーザー操作に従ってユーザーのログイン処理およびログアウト処理を実行するとともに、（ｂ）入力装置１１ｂによりユーザー操作が検出されない無操作時間を測定し、入力装置１１ｂによりユーザー操作が検出された場合には無操作時間をリセットし、無操作時間に基づいて強制ログアウト処理を自動的に実行する。また、ログイン状態管理部３２は、（ａ）無操作時間が警告閾値Ｔ１を超えると、延長キー１０１を表示装置１１ａに表示させ、延長キー１０１の表示後、無操作時間がログアウト閾値Ｔ２を超えると強制ログアウト処理を実行し、（ｂ）延長キー１０１に対するユーザー操作が入力装置１１ｂにより検出された場合、無操作時間をリセットせずに、ログアウト閾値Ｔ２を増加させる。そして、ログイン状態管理部３２は、延長キー１０１に対するユーザー操作が検出され、ログアウト閾値Ｔ２を増加させた場合において、無操作時間がログアウト閾値Ｔ２を超える前に、ログアウト処理のためのユーザー操作が入力装置１１ｂにより検出されたときには、（ａ）ただちにログアウト処理を実行し、（ｂ）ログアウト処理のためのユーザー操作が入力装置１１ｂにより検出された時点のユーザー作業の状態情報を所定の記憶装置２５に保存し、（ｃ）当該ユーザーの次回ログイン時に、状態情報が保存されている場合には、保存した状態情報を適用する。
【００５６】
これにより、延長キー１０１によって強制ログアウトを遅延させることができるので、作業が完了していないにも拘わらずユーザーが強制ログアウトされてしまう可能性が低くなる。
【００５７】
実施の形態２．
【００５８】
図５は、実施の形態２において表示装置１１ａに表示される警告画面の一例を示す図である。実施の形態２では、ログイン状態管理部３２は、延長キー１０１が押下されて上述のログアウト閾値を増加させたときに、図５に示すように延長短縮キー１２１および警告メッセージ１２２を表示装置１１ａに表示させ、延長短縮キー１２１に対するユーザー操作が入力装置１１ｂにより検出された場合、上述のログアウト閾値を減少させる。
【００５９】
この実施の形態では、ログイン状態管理部３２は、図５に示すように、延長キー１０１の隣りに延長短縮キー１２１を表示させ、警告メッセージ１０１の隣りに警告メッセージ１２２を表示させる。
【００６０】
また、この実施の形態では、ログイン状態管理部３２は、延長短縮キー１２１に対するユーザー操作の回数に比例した時間だけログアウト閾値を減少させる。なお、上述のタイマーの値が、減少させたログアウト閾値を超えている場合には、ログイン状態管理部３２は、ただちに、強制ログアウト処理を実行し、当該ログインユーザーに対する処理を終了する。
【００６１】
延長短縮キー１２１に対する１回のユーザー操作につき、ログアウト閾値が、所定の設定値の示す時間だけ減少される。例えばその設定値は、１５秒、１００秒などとユーザーにより設定される。
【００６２】
なお、実施の形態２に係る画像形成装置のその他の構成および動作については実施の形態１と同様であるので、その説明を省略する。
【００６３】
以上のように、上記実施の形態２によれば、延長短縮キー１２１が表示され、延長短縮キー１２１に対するユーザー操作が検出されるとログアウト閾値を減少させる。これにより、例えば、ユーザーは、延長キー１０１によって強制ログアウトを遅延させた後、作業完了したときにその場からただちに立ち去るために、延長短縮キー１２１を操作して強制ログアウトを早めることができる。また、ログアウトキーが、図２に示すようなハードキー５５であり、表示装置１１ａの操作画面およびタッチパネル５６から離れた位置に配置されている場合、ユーザーは、そのログアウトキーを探すことなく、操作画面上の延長短縮キー１２１を操作してただちにログアウトさせることができる。
【００６４】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００６５】
本発明は、例えば、複合機などの画像形成装置に適用可能である。
【符号の説明】
【００６６】
１１ａ  表示装置と、
１１ｂ  入力装置と、
３１  制御部
３２  ログイン状態管理部
【図１】
2018086828.tif 000003
【図２】
2018086828.tif 000004
【図３】
2018086828.tif 000005
【図４】
2018086828.tif 000006
【図５】
2018086828.tif 000007